(57)【特許請求の範囲】
【請求項１】
単一周波数モバイル通信ネットワークにおいて、マルチメディア・ブロードキャスト・マルチキャスト型通信（ＭＢＭＳ）データ・パケットをアクセス・ネットワーク・ノードから複数の基地局を介して少なくとも１つのユーザ端末に配信する方法であって、
前記データ・パケットが前記複数の基地局から前記少なくとも１つのユーザ端末にどの時間間隔で送信されなければならないかを示す情報を、前記アクセス・ネットワーク・ノードにおいて、前記ＭＢＭＳデータ・パケットのそれぞれに付加することと、
前記データ・パケットの前記配信の順序を示す情報を、前記アクセス・ネットワーク・ノードにおいて、前記ＭＢＭＳデータ・パケットのそれぞれに付加することとを含み、
ＭＢＭＳデータ・パケットが送信される移送ブロックの全長を占めない場合、前記ＭＢＭＳデータ・パケットが少なくとも１つの後続ＭＢＭＳデータ・パケットと連結され、ＲＬＣおよびＭＡＣヘッダを付加することによってユーザ端末に伝送されることを特徴とする方法。
【請求項２】
新しいバーストの伝送が開始されたとき、最大時間間隔の長さを超えたとき、または、１つの時間間隔内に伝送されなければならないデータ・パケットのデータレートがある時間の間で最大サービス・データレートより低いときには、新しい時間間隔を示す情報が付加される、ことを特徴とする請求項１に記載の方法。
【請求項３】
前記ＭＢＭＳデータ・パケットの前記配信の順序を示す前記情報に基づいて、前記複数の基地局は、順序外れで受信されたＭＢＭＳデータ・パケットの再順序付けを行う、ことを特徴とする請求項１に記載の方法。
【請求項４】
前記複数の基地局から前記少なくとも１つのユーザ端末に送信される移送ブロックに完全には収まらないＭＢＭＳデータ・パケットが分割される、ことを特徴とする請求項１に記載の方法。
【請求項５】
前記時間間隔の開始が、前記アクセス・ネットワーク・ノードから前記少なくとも１つのユーザ端末への伝送遅延に関する情報に基づく、ことを特徴とする請求項１に記載の方法。
【請求項６】
単一周波数モバイル通信ネットワークにおいて、マルチメディア・ブロードキャスト・マルチキャスト型通信（ＭＢＭＳ）データ・パケットをアクセス・ネットワーク・ノードから複数の基地局を介して少なくとも１つのユーザ端末に配信するアクセス・ネットワーク・ノードであって、前記アクセス・ネットワーク・ノードは、
前記ＭＢＭＳデータ・パケットが前記複数の基地局から前記少なくとも１つのユーザ端末にどの時間間隔で送信されなければならないかを示す情報を前記ＭＢＭＳデータ・パケットのそれぞれに付加し、そして、
前記データ・パケットの前記配信の順序を示す情報を、前記ＭＢＭＳデータ・パケットのそれぞれに付加するように構成され、
ＭＢＭＳデータ・パケットが送信される移送ブロックの全長を占めない場合、前記ＭＢＭＳデータ・パケットが少なくとも１つの後続ＭＢＭＳデータ・パケットと連結され、ＲＬＣおよびＭＡＣヘッダを付加することによってユーザ端末に伝送される、ことを特徴とするアクセス・ネットワーク・ノード。
【請求項７】
単一周波数モバイル通信ネットワークにおいて、マルチメディア・ブロードキャスト・マルチキャスト型通信（ＭＢＭＳ）データ・パケットをアクセス・ネットワーク・ノードから複数基地局を介して少なくとも１つのユーザ端末に配信する前記基地局であって、前記基地局が、
前記ＭＢＭＳデータ・パケットを、前記ＭＢＭＳデータ・パケットのそれぞれに付加された情報で示されるそれぞれの時間間隔で前記少なくとも１つのユーザ端末に送信し、かつ
前記ＭＢＭＳデータ・パケットを、前記ＭＢＭＳデータ・パケットのそれぞれに付加された情報で示される順序で前記少なくとも１つのユーザ端末に送信し、
ＭＢＭＳデータ・パケットが送信される移送ブロックの全長を占めない場合、前記ＭＢＭＳデータ・パケットが少なくとも１つの後続ＭＢＭＳデータ・パケットと連結され、ＲＬＣおよびＭＡＣヘッダを付加することによってユーザ端末に伝送されることを特徴とする基地局。
【請求項８】
マルチメディア・ブロードキャスト・マルチキャスト型通信（ＭＢＭＳ）データ・パケットを、アクセス・ネットワーク・ノードから複数の基地局を介して少なくとも１つのユーザ端末に配信する単一周波数モバイル通信ネットワークであって、
前記ＭＢＭＳデータ・パケットが前記複数の基地局から前記少なくとも１つのユーザ端末にどの時間間隔で送信されなければならないかを示す情報を、前記ＭＢＭＳデータ・パケットのそれぞれに付加し、且つ、前記ＭＢＭＳデータ・パケットの前記配信の順序を示す情報を、前記ＭＢＭＳデータ・パケットに付加する、少なくとも１つのアクセス・ネットワーク・ノードと、
前記ＭＢＭＳデータ・パケットを、前記ＭＢＭＳデータ・パケットに付加された情報で示されるそれぞれの時間間隔で前記少なくとも１つのユーザ端末に送信し、且つ、前記ＭＢＭＳデータ・パケットを、前記ＭＢＭＳデータ・パケットのそれぞれに付加された情報で示される順序で前記少なくとも１つのユーザ端末に送信する前記複数の基地局とを含み、
ＭＢＭＳデータ・パケットが送信される移送ブロックの全長を占めない場合、前記ＭＢＭＳデータ・パケットが少なくとも１つの後続ＭＢＭＳデータ・パケットと連結され、ＲＬＣおよびＭＡＣヘッダを付加することによってユーザ端末に伝送される、ことを特徴とする単一周波数モバイル通信ネットワーク。
【請求項９】
新しいバーストの伝送が開始されたとき、最大時間間隔の長さを超えたとき、または、１つの時間間隔内に伝送されなければならないデータ・パケットのデータレートがある時間の間で最大サービス・データレートより低いときには、新しい時間間隔を示す情報が付加される、ことを特徴とする請求項６に記載のアクセス・ネットワーク・ノード。
【請求項１０】
前記ＭＢＭＳデータ・パケットの前記配信の順序を示す前記情報に基づいて、前記複数の基地局は、順序外れで受信されたＭＢＭＳデータ・パケットの再順序付けを行う、ことを特徴とする請求項６に記載のアクセス・ネットワーク・ノード。
【請求項１１】
ＭＢＭＳデータ・パケットが前記複数の基地局から前記少なくとも１つのユーザ端末に送信される移送ブロックに完全には収まらない場合に、ＭＢＭＳデータ・パケットが分割される、請求項６に記載のアクセス・ネットワーク・ノード。
【請求項１２】
前記時間間隔の開始が、前記アクセス・ネットワーク・ノードから前記少なくとも１つのユーザ端末への伝送遅延に関する情報に基づく、ことを特徴とする請求項６に記載のアクセス・ネットワーク・ノード。
【請求項１３】
新しいバーストの伝送が開始されたとき、最大時間間隔の長さを超えたとき、または、１つの時間間隔内に伝送されなければならないデータ・パケットのデータレートがある時間の間で最大サービス・データレートより低いときには、新しい時間間隔を示す情報が付加される、ことを特徴とする請求項７に記載の基地局。
【請求項１４】
前記ＭＢＭＳデータ・パケットの前記配信の順序を示す前記情報に基づいて、前記複数の基地局は、順序外れで受信されたＭＢＭＳデータ・パケットの再順序付けを行う、ことを特徴とする請求項７に記載の基地局。
【請求項１５】
ＭＢＭＳデータ・パケットが前記複数の基地局から前記少なくとも１つのユーザ端末に送信される移送ブロックに完全には収まらない場合に、ＭＢＭＳデータ・パケットが分割される、請求項７に記載の基地局。
【請求項１６】
前記時間間隔の開始が、前記アクセス・ネットワーク・ノードから前記少なくとも１つのユーザ端末への伝送遅延に関する情報に基づく、ことを特徴とする請求項７に記載の基地局。
【請求項１７】
新しいバーストの伝送が開始されたとき、最大時間間隔の長さを超えたとき、または、１つの時間間隔内に伝送されなければならないデータ・パケットのデータレートがある時間の間で最大サービス・データレートより低いときには、新しい時間間隔を示す情報が付加される、ことを特徴とする請求項８に記載の単一周波数モバイル通信ネットワーク。
【請求項１８】
前記ＭＢＭＳデータ・パケットの前記配信の順序を示す前記情報に基づいて、前記複数の基地局は、順序外れで受信されたＭＢＭＳデータ・パケットの再順序付けを行う、ことを特徴とする請求項８に記載の単一周波数モバイル通信ネットワーク。
【請求項１９】
ＭＢＭＳデータ・パケットが前記複数の基地局から前記少なくとも１つのユーザ端末に送信される移送ブロックに完全には収まらない場合に、ＭＢＭＳデータ・パケットが分割される、請求項８に記載の単一周波数モバイル通信ネットワーク。
【請求項２０】
前記時間間隔の開始が、前記アクセス・ネットワーク・ノードから前記少なくとも１つのユーザ端末への伝送遅延に関する情報に基づく、ことを特徴とする請求項８に記載の単一周波数モバイル通信ネットワーク。
【発明の詳細な説明】
【技術分野】
【０００１】
本発明は、単一周波数モバイル通信ネットワークにおけるデータ・パケットの配信方法、アクセス・ネットワーク・ノード、基地局、および単一周波数モバイル通信ネットワークに関する。
【背景技術】
【０００２】
いわゆる単一周波数ネットワーク（ｓｉｎｇｌｅ  ｆｒｅｑｕｅｎｃｙ  ｎｅｔｗｏｒｋ（ＳＦＮ））は、例えば基地局の複数のトランスミッタが同一の周波数チャネルを介して同一の信号を同時に送信するブロードキャスト・ネットワークまたはマルチキャスト・ネットワークである。したがって、ＳＦＮの動作では、ＳＦＮ伝送に関与する全基地局が、全く同一のデータ、例えばＭＢＭＳサービス・データ（ＭＢＭＳ＝ｍｕｌｔｉｍｅｄｉａ  ｂｒｏａｄｃａｓｔ  ｍｕｌｔｉｃａｓｔ  ｓｅｒｖｉｃｅ（マルチメディア・ブロードキャスト・マルチキャスト型通信））を同時に、全く同一のＰＤＵ（ｐｒｏｔｏｃｏｌ  ｄａｔａ  ｕｎｉｔ）で、全く同一の物理的無線リソースブロック（ｐｈｙｓｉｃａｌ  ｒａｄｉｏ  ｒｅｓｏｕｒｃｅ  ｂｌｏｃｋ（ＰＲＢ））を使用して伝送することが保証されなければならない。
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（国際移動体通信システム））では、ＭＢＭＳサービス・データの伝送に関する１つの解決法は、無線アクセス・ネットワーク（Ｒａｄｉｏ  Ａｃｃｅｓｓ  Ｎｅｔｗｏｒｋ（ＲＡＮ））における２ノードアプローチに基づくものであり、すなわち無線ネットワーク制御装置（Ｒａｄｉｏ  Ｎｅｔｗｏｒｋ  Ｃｏｎｔｒｏｌｌｅｒ（ＲＮＣ））が、移送ブロックを生成し、この移送ブロックをいわゆるＩｕｂインターフェースを介していわゆるノードＢに配信する責任を負っている。いわゆるコネクション・フレーム番号（Ｃｏｎｎｅｃｔｉｏｎ  Ｆｒａｍｅ  Ｎｕｍｂｅｒ（ＣＦＮ））に基づいてＭＢＭＳサービス・データを伝送することにより、ＲＮＣと全ノードＢとの間で時間の同期化が実現される。
【０００４】
ＵＭＴＳの潜在的後継技術としての３ＧＰＰ無線技術（３ＧＰＰ＝Ｔｈｉｒｄ  Ｇｅｎｅｒａｔｉｏｎ  Ｐａｒｔｎｅｒｓｈｉｐ  Ｐｒｏｊｅｃｔ（第３世代移動体通信システムの標準化プロジェクト））のＬＴＥ（Ｌｏｎｇ  Ｔｅｒｍ  Ｅｖｏｌｕｔｉｏｎ）では、例えばアクセス・ゲートウェイとしてのアクセス・ネットワーク・ノードと基地局としてのいわゆる高機能ノードＢとからなる２ノードアーキテクチャが、第３世代移動体通信システムの標準化プロジェクトによって決定されている。アクセス・ネットワーク・ノードはコア・ネットワークに属しているが、高機能ノードＢは無線アクセス・ネットワークに配置される。
【０００５】
例えば携帯テレビのようなＭＢＭＳサービスの配信の場合、データはアクセス・ネットワーク・ノードから複数の高機能ノードＢに配信されなければならない。ＭＢＭＳサービスは単一周波数ネットワークモードで動作することになり、したがってあるサービスのためのＳＦＮ伝送に関与する高機能ノードＢが、同期化された無線フレーム内で全く同一のデータを、例えば周波数のような全く同一の物理レイヤ・リソース上で伝送することが保証されなければならない。
【０００６】
さらに、コア・ネットワーク・エレメントとしてのアクセス・ネットワーク・ノードは、無線非依存的（ｒａｄｉｏ  ａｇｎｏｓｔｉｃ）であるべきである。すなわち、無線フレームおよび物理レイヤ・リソースは、アクセス・ネットワーク・ノードによって規定されるべきではない。
【０００７】
ＬＴＥシステムが無線ネットワーク制御装置なしでユニキャスト・サービスのために動作するとき、同じ概念が、ＭＢＭＳサービス・データのＳＦＮ伝送のようなマルチキャスト・サービスまたはブロードキャスト・サービスにも適用されるはずである。
【０００８】
アクセス・ネットワーク・ノードが無線非依存的であるべきなので、同期化手順では無線に関係するパラメータを使用すべきではない。
【０００９】
ＬＴＥシステムにおける内容同期化の基本原理のさらなる詳細は、文献３ＧＰＰ  ＴＳＧ−ＲＡＮ  ＷＧ  ３  Ｍｅｅｔｉｎｇ  ＃５３ｂｉｓ、Ｓｅｏｕｌ、Ｋｏｒｅａ、１０−１３  Ｏｃｔｏｂｅｒ  ２００６、ｔｄｏｃ  Ｒ３−０６１５３４、Ａｒｃｈｉｔｅｃｔｕｒｅ  ｆｏｒ  Ｃｏｎｔｅｎｔ  Ｓｙｎｃｈｒｏｎｉｚａｔｉｏｎに出ている。
【先行技術文献】
【非特許文献】
【００１０】
【非特許文献１】３ＧＰＰ  ＴＳＧ−ＲＡＮ  ＷＧ  ３  Ｍｅｅｔｉｎｇ  ＃５３ｂｉｓ、Ｓｅｏｕｌ、Ｋｏｒｅａ、１０−１３  Ｏｃｔｏｂｅｒ  ２００６、ｔｄｏｃ  Ｒ３−０６１５３４、Ａｒｃｈｉｔｅｃｔｕｒｅ  ｆｏｒ  Ｃｏｎｔｅｎｔ  Ｓｙｎｃｈｒｏｎｉｚａｔｉｏｎ
【発明の概要】
【発明が解決しようとする課題】
【００１１】
したがって、本発明の目的は、前述の問題を克服し、前述の制約条件を満たす、単一周波数モバイル通信ネットワークにおいて少なくとも１つの基地局を介してアクセス・ネットワーク・ノードから少なくとも１つのユーザ端末にデータ・パケットを配信する方法を提案することである。
【課題を解決するための手段】
【００１２】
この目的は、方法、アクセス・ネットワーク・ノード、基地局、および単一周波数モバイル通信ネットワークによって達成される。
【００１３】
本発明の主な考え方は、基地局においてある無線フレームを生成するのに使用されるデータ・パケットを同期化させるためのプロトコル解決策を提供することである。
【００１４】
データ・パケットが基地局からどの時間間隔で送信されなければならないかを示すタイムスタンプが、アクセス・ネットワーク・ノードにおいてデータ・パケットに付加される。さらに、基地局からデータ・パケットを送信する順序を示すシーケンス番号が、アクセス・ネットワーク・ノードにおいてデータ・パケットに付加される。
【００１５】
本発明の別の発展形態は、従属請求項および以下の説明から得ることができる。
【００１６】
以下に添付の図面を参照して、本発明をさらに説明する。
【図面の簡単な説明】
【００１７】
【図１】本発明が実施できるモバイル通信ネットワークを示す概略図である。
【図２】データ連結の場合の同期化手順、すなわちアクセス・ネットワーク・ノードおよび基地局におけるデータ・パケットの処理を例示的に示す概略図である。
【図３】データ分割の場合の同期化手順、すなわちアクセス・ネットワーク・ノードおよび基地局におけるデータ・パケットの処理を例示的に示す概略図である。
【発明を実施するための形態】
【００１８】
本発明が実施できる単一周波数モバイル通信ネットワークは、少なくとも１つのアクセス・ネットワーク・ノード、少なくとも１つの基地局およびユーザ端末を含む。
【００１９】
図１は、１つのアクセス・ネットワーク・ノードａＧＷと、複数の基地局ｅＮＢおよびユーザ端末ＵＥを含む、こうした単一周波数モバイル通信ネットワークの例を示す。
【００２０】
さらに、図１には、アクセス・ネットワーク・ノードａＧＷが、いわゆるパケットデータ収斂プロトコル層ＰＤＣＰの機能、およびデータ同期化用プロトコル層ＳＹＮＣの機能を含み、基地局ｅＮＢが、データ同期化用プロトコル層ＳＹＮＣの機能、無線リンク制御層ＲＬＣの機能、メディア・アクセス・コントロール層ＭＡＣの機能、および物理層ＰＨＹの機能を含み、ユーザ端末ＵＥが、パケットデータ収斂プロトコル層ＰＤＣＰの機能、無線リンク制御層ＲＬＣの機能、メディア・アクセス・コントロール層ＭＡＣの機能、および物理層ＰＨＹの機能を含むことが示されている。  
【００２１】
前記ユーザ端末ＵＥのそれぞれは、１つまたは複数の前記基地局ｅＮＢに接続されており、基地局ｅＮＢはアクセス・ネットワーク・ノードａＧＷに接続されている。アクセス・ネットワーク・ノードａＧＷはコア・ネットワークに接続されており、コア・ネットワークは図を簡単にするために図１には示していない。
【００２２】
ユーザ端末ＵＥは、無線伝送を使用するネットワークにおいて信号およびデータ・メッセージを送信および受信するユーザ端末機能を含む。
【００２３】
基地局ｅＮＢは、無線伝送を使用するネットワークの基地局機能を含み、すなわち、基地局は、ユーザ端末が、前記ネットワークに接続される可能性、および無線伝送による前記ユーザ端末同士のデータ交換の可能性を提供する。
【００２４】
さらに、本発明による基地局ｅＮＢは、少なくとも１つのユーザ端末へのデータ・パケットの送信をデータ・パケットに付加された情報で示されるそれぞれの時間間隔で実行するように適合され、前記少なくとも１つのユーザ端末への前記データ・パケットの送信をデータ・パケットに付加された情報で示される順序で実行するように適合されている。
【００２５】
アクセス・ネットワーク・ノードａＧＷは、基地局ｅＮＢとコア・ネットワークの間の接続を提供する機能を含む。
【００２６】
さらに、本発明によるアクセス・ネットワーク・ノードａＧＷは、データ・パケットが基地局からユーザ端末にどの時間間隔で送信されなければならないかを示す情報をデータ・パケットに付加するように適合され、データ・パケットの配信の順序を示す情報をデータ・パケットに付加するように適合されている。
【００２７】
図１に図示された例は、ＳＦＮ伝送用のＬＴＥネットワークを示す。様々なネットワーク装置のプロトコル層間の接続を二重の矢印で例示的に示す。
【００２８】
アクセス・ネットワーク・ノードａＧＷのいわゆるパケットデータ収斂プロトコル層ＰＤＣＰとユーザ端末ＵＥとの間に接続がある。
【００２９】
アクセス・ネットワーク・ノードａＧＷのデータ同期化用プロトコル層ＳＹＮＣと基地局ｅＮＢとの間に接続がある。例えばＭＢＭＳデータに情報を付加し、それによって基地局ｅＮＢにおけるＭＢＭＳデータの送信の同期化を可能にするために、前記データ同期化用プロトコル層ＳＹＮＣが、データ収斂プロトコル層ＰＤＣＰの下、かつ無線リンク制御層ＲＬＣの上に挿入されている。
【００３０】
基地局ｅＮＢおよびユーザ端末ＵＥの、無線リンク制御層ＲＬＣ同士の間、メディア・アクセス・コントロール層ＭＡＣ同士の間、および物理層ＰＨＹ同士の間に接続がある。
【００３１】
コンテンツのマルチキャストまたはブロードキャスト用のデータ・パケットは、いわゆるＳ１インターフェースを介していわゆるＳＡＥ（ｓｙｓｔｅｍ  ａｒｃｈｉｔｅｃｔｕｒｅ  ｅｖｏｌｕｔｉｏｎ）ベアラ・レベルでアクセス・ネットワーク・ノードから基地局ｅＮＢに配信される。すなわち、図１に示される例では、例えば基地局ｅＮＢにおけるＭＢＭＳデータの送信の同期化を可能にする前記情報を含む、ヘッダが圧縮されたＭＢＭＳパケットデータは、ＲＬＣ  ＳＤＵレベル（ＳＤＵ＝サービス・データ・ユニット：ｓｅｒｖｉｃｅ  ｄａｔａ  ｕｎｉｔ）で配信される。
【００３２】
本発明が実施されるモバイル通信ネットワークについて以下のように仮定する。
【００３３】
基地局ｅＮＢは、例えば周波数、周波数ブロック、変調、コーディング、無線フレーム間の時差のような、事前定義された無線リソースをＭＢＭＳサービスのために使用するために、例えばＯ＆Ｍ（ｏｐｅｒａｔｉｏｎ  ａｎｄ  ｍａｉｎｔｅｎａｎｃｅ）、マスター基地局または中央ｅＭＢＭＳ無線リソース管理サーバ（ｅＭＢＭＳ＝ｅｎｈａｎｃｅｄ  ＭＢＭＳ（高機能ＭＢＭＳ））を介して事前に構成される。
【００３４】
事前定義された無線リソースに基づく無線インターフェースでのデータレートは、ＭＢＭＳサービスがアクセス・ネットワーク・ノードａＧＷに到達するために要求される最大サービス・データレートｍ以上であることが知られている。
【００３５】
無線インターフェース上の、およびこのサービスの様々なデータレートに基づいて、パディング情報を、基地局ｅＮＢが、ユーザ端末ＵＥに伝送されるデータ・パケットに含めることもできる。
【００３６】
アクセス・ネットワーク・ノードａＧＷおよび基地局ｅＮＢは、ＳＦＮ伝送のために、ＧＰＳ（ＧＰＳ＝Ｇｌｏｂａｌ  Ｐｏｓｉｔｉｏｎｉｎｇ  Ｓｙｓｔｅｍ）を用いて、または例えばクロック同期化のための標準ＩＥＥＥ  １５８８など他の任意のネットワーク同期化スキームを用いて時間同期化される。
【００３７】
ｍａｘＤｅｌａｙ（ａＧＷ−ｅＮＢ）で表される、アクセス・ネットワーク・ノードａＧＷと基地局ｅＮＢとの間の最大伝送時間は、ネットワーク構成に基づいて事前に知られており、または測定により動的に決定される。
【００３８】
ＭＢＭＳデータは、様々な長さでのＩＰパケット（ＩＰ＝Ｉｎｔｅｒｎｅｔ  ｐｒｏｔｏｃｏｌ）に基づいている。
【００３９】
事前定義された無線フレームは様々な長さからなることができる。
【００４０】
アクセス・ネットワーク・ノードａＧＷは、基地局ｅＮＢによって適用されるスケジュール間の間隔の上界Ｓ、すなわち基地局ｅＮＢにおける２つのスケジューリング・イベントの間の時間の上界を知っている。前記上界Ｓは、例えば次の考察から導出可能である。アクセス・ネットワーク・ノードａＧＷは、Ｔｒｄｅｌで表される、アクセス・ネットワーク・ノードａＧＷとユーザ端末ＵＥとの間の最大転送遅延を基地局ｅＮＢに対して明示的にまたは暗示的に示すことになる。このことは、基地局ｅＮＢのスケジューラがＳ≦Ｔｒｄｅｌよりも長く待たずにパケットをスケジューリングすることを暗示している。そうでなければ最大転送遅延の要件が満たされない可能性がある。したがって、Ｓの１つの推定値はＳ＝Ｔｒｄｅｌとなり得る。
【００４１】
図２は、連結されたＭＢＭＳデータの場合の同期化の手順を例示的に示す。本発明によれば、コア・ネットワークからアクセス・ネットワーク・ノードａＧＷで受信され、ＭＢＭＳ情報を含む、１つのＩＰパケットでは、ヘッダの圧縮がアクセス・ネットワーク・ノードａＧＷのＰＤＣＰ層で行われる。圧縮されたＩＰパケットは、以下ではＭＢＭＳデータ・パケットと呼ぶ。
【００４２】
１行目に、アクセス・ネットワーク・ノードａＧＷにおいてＭＢＭＳデータで表されるＭＢＭＳデータ・パケットの順序が示されている。ＭＢＭＳデータ・パケットの順序は、例えば図２で示されるビットの番号付けに基づいて、ＭＢＭＳデータ・パケットの最初と最後のビット番号に対応する番号を用いて示される。しかし、前記ビットの番号付けは、別の方法で、例えばそれぞれのＭＢＭＳデータ・パケットのシーケンス、または長さとシーケンスを示す、１つのＭＢＭＳデータ・パケットにつきただ１つの番号を用いて表すこともできる。
【００４３】
アクセス・ネットワーク・ノードａＧＷで、ＭＢＭＳデータ・パケットが基地局ｅＮＢからユーザ端末ＵＥにどの時間間隔で送信されなければならないかを示す情報が、ＭＢＭＳデータ・パケットに付加される。前記情報は、例えば、タイムスタンプＴ１（ｔｘ）を含むヘッダ情報の形態で付加される。
【００４４】
タイムスタンプＴ１（ｔｘ）の割振りは、同じタイムスタンプＴ１（ｔｘ）が使用される時間間隔またはサイクルにおいて分割される。前記時間間隔またはサイクル内で、例えば、時点Ｔ１（ｒｘ）で開始し、時間Ｔ２（ｒｘ）で終了すると、各ＭＢＭＳデータ・パケットに対してアクセス・ネットワーク・ノードａＧＷは同じタイムスタンプＴ１（ｔｘ）をそのＭＢＭＳデータ・パケットに付加する。
【００４５】
本発明の一実施形態では、タイムスタンプＴ１（ｔｘ）は次のように定義される。
Ｔ１（ｔｘ）＝Ｔ１（ｒｘ）＋ｍａｘＤｅｌａｙ（ａＧＷ−ｅＮＢ）＋定数
ｍａｘＤｅｌａｙ（ａＧＷ−ｅＮＢ）は、アクセス・ネットワーク・ノードａＧＷと基地局ｅＮＢとの間のデータ伝送に必要な最大可能時間であり、定数は、例えば基地局ｅＮＢでのスケジューリングの間隔に基づく、一定の時間オフセットを表す。
【００４６】
Ｔ２（ｒｘ）の時点で、新しい時間間隔またはサイクルが開始される。
【００４７】
さらに、アクセス・ネットワーク・ノードａＧＷで、ＭＢＭＳデータ・パケットの配信の順序を示す情報がＭＢＭＳデータ・パケットに付加される。前記情報は、例えばＭＢＭＳデータ・パケットのビットカウントに基づくまたはＭＢＭＳデータ・パケットの最初および最後のビット番号に対応する番号に基づくシーケンス番号ＳＮの形態で付加される。
【００４８】
図２の２行目に、タイムスタンプＴ１（ｔｘ）およびシーケンス番号ＳＮを含むヘッダ情報がアクセス・ネットワーク・ノードａＧＷにおいてＭＢＭＳデータ・パケットに付加されることが示されている。
【００４９】
図２の３行目に、基地局ｅＮＢにおけるパケットが示されている。ＭＢＭＳデータ・パケットおよび関係するヘッダ情報を受信すると、基地局ｅＮＢは、ＭＢＭＳデータ・パケットおよび関係するヘッダ情報をバッファに格納する。
【００５０】
ＭＢＭＳデータ・パケットは、移送ブロックＴＢの全長を占めない場合、基地局ｅＮＢで後続ＭＢＭＳデータ・パケットと連結される。
【００５１】
移送ブロック長は、例えば周波数、周波数ブロック、変調、コーディング、および例えばＯ＆Ｍによって定義される無線フレーム間の時差のような、事前定義された無線リソースによって決定される。ＲＬＣおよびＭＡＣヘッダを付加することにより、無線インターフェースを介してユーザ端末ＵＥに伝送されるＭＢＭＳ無線フレームが作成される。
【００５２】
Ｔ１（ｔｘ）で表される時間間隔またはサイクルに属するパケットの伝送は、Ｔ１（ｔｘ）で示される時間、またはその後の最初の伝送の瞬間に開始する。伝送される最初のパケットは、開始値に等しいシーケンス番号ＳＮを有するＭＢＭＳデータ・パケットである。後続ＭＢＭＳデータ・パケットは、シーケンス番号ＳＮの昇順に伝送される。
【００５３】
タイムスタンプＴ１（ｔｘ）およびシーケンス番号ＳＮは、基地局ｅＮＢによってユーザ端末ＵＥに伝送されないことが好ましい。
【００５４】
各基地局ｅＮＢは、Ｔ１（ｔｘ）で示される時間、またはその後の最初の伝送の瞬間に伝送を同時に開始する。
【００５５】
事前に構成された無線リソースに基づき、後続ＭＢＭＳデータ・パケットを有する他の全ての無線フレームが、基地局ｅＮＢから同時に伝送されることが保証される。
【００５６】
ＭＢＭＳデータ・パケットのヘッダにタイムスタンプＴ２（ｔｘ）を含む情報を受信すると、基地局ｅＮＢは、時間Ｔ２（ｔｘ）に新しい時間間隔またはサイクルが開始することを知る。
【００５７】
最後のＭＢＭＳデータ・パケットが、時間間隔またはサイクル内に移送ブロックの事前定義された構造を完全には占めない場合、無線フレームはパディング情報で満たされる。
【００５８】
ある時間間隔またはサイクルの最後のパケットは、新しい時間間隔またはサイクルのパケットを受信することにより、または一定の時間さらなるパケットをそれ以上受信しないことにより検出される。
【００５９】
バッファ内に使用可能なＭＢＭＳデータ・パケットがそれ以上ない場合、基地局ｅＮＢはさらなるＭＢＭＳ無線フレームを伝送しない。
【００６０】
シーケンス番号ＳＮの情報に基づいて、基地局ｅＮＢは、順序外れで受信されたＭＢＭＳデータ・パケットの再順序付けを行う。
【００６１】
シーケンス番号ＳＮおよび受信されたパケットのパケット長の知識によって検出された失われたＭＢＭＳデータ・パケットの場合、失われたＭＢＭＳデータ・パケットのビットを含んでいなかったはずの移送ブロックのみが伝送される。
【００６２】
図３は、ＭＢＭＳデータが基地局ｅＮＢで分割される場合の同期化手順を例示的に示す。１行目および２行目の説明は、図２の１行目および２行目の説明と同じである。
【００６３】
３行目に、ＭＢＭＳデータ・パケットが無線インターフェースを介して伝送される移送ブロックＴＢに完全には収まらない場合、より正確にはＭＢＭＳデータ・パケットが必要なプロトコル・ヘッダ情報と一緒には移送ブロックに収まらない場合、ＭＢＭＳデータ・パケットが基地局ｅＮＢで分割されることが示されている。
【００６４】
アクセス・ネットワーク・ノードａＧＷからの新しいバーストの伝送が開始された場合、または最大時間間隔の長さを超えた場合に、新しい時間間隔またはサイクルが、例えば開始することができる。
【００６５】
さらに、１つの時間間隔内に伝送されなければならないデータ・パケットのデータレートが、一定の時間の間、最大サービス・データレートｍより低い場合、新しい時間間隔またはサイクルが開始することができる。
【００６６】
より正確には、この考え方は、先行ＭＢＭＳデータ・パケットが基地局ｅＮＢから完全には伝送されていないかもしれない場合、後続ＭＢＭＳデータ・パケットが仮想的に連結される、すなわち、ＭＢＭＳデータ・パケットの順序を示す更新された情報を使うだけで、先行ＭＢＭＳデータ・パケットと同じタイムスタンプを使用して伝送されるということである。完全に伝送されたかどうか判定するために、ＭＢＭＳデータ・パケットが基地局ｅＮＢから少なくとも最大サービス・データレートｍで伝送されるものと仮定する。したがって、一度ＭＢＭＳデータ・パケットが基地局ｅＮＢから伝送を開始されると、前記ＭＢＭＳデータ・パケットを伝送するのに仮想最大伝送時間ｔ＝ｍ＊ｐａｃｋｅｔ＿ｓｉｚｅ（ｐａｃｋｅｔ＿ｓｉｚｅはＭＢＭＳデータ・パケットの大きさを表す）かかる。先行ＭＢＭＳデータ・パケットの伝送はさらに最大で上界Ｓの時間だけ遅延する可能性がある。この上界Ｓは、上述のように、基地局ｅＮＢからの伝送に対する仮定最大スケジューリング間隔によって決定される。
【００６７】
したがって、先行ＭＢＭＳデータ・パケットの仮想完了時間、すなわち、基地局ｅＮＢからの先行ＭＢＭＳデータ・パケットの伝送を完了するのに必要な時間は、Ｔｃｏｍｐｌ＝Ｔ１（ｒｘ）＋Ｓ＋Ｓｕｍ＊ｍ（Ｓｕｍは全ての先行ＭＢＭＳデータ・パケットの大きさの合計を表す）として計算される。連続するＭＢＭＳデータ・パケットがＴｃｏｍｐｌの前に到達した場合、それはＴ１（ｔｘ）間隔を使用して伝送され、すなわち仮想的に連結され、そうでない場合、それは新しいタイムスタンプＴ２（ｔｘ）を有するパケットに入れられる。
【００６８】
上界Ｓに関しては、アクセス・ネットワーク・ノードａＧＷが、アクセス・ネットワーク・ノードａＧＷからユーザ端末ＵＥへの最大転送遅延Ｔｒｄｅｌを要求する可能性があると仮定される。このことは、基地局ｅＮＢのスケジューラがＳ≦Ｔｒｄｅｌよりも長く待たずにパケットをスケジューリングすることを暗示している。そうでなければ、最大転送遅延の要件が満たされない可能性がある。
【００６９】
上述のように、Ｔ１（ｔｘ）のタイムスタンプは、Ｔ１（ｔｘ）＝Ｔ１（ｒｘ）＋ｍａｘＤｅｌａｙ（ａＧＷ−ｅＮＢ）＋定数として定義される。
【００７０】
本発明の一実施形態では、パラメータ定数≧Ｓであると仮定することができる。
【００７１】
図２または図３の１行目を参照すると、先行ＭＢＭＳデータ・パケットに仮想的に連結されないＭＢＭＳデータ・パケットが、時間Ｔ１（ｒｘ）にアクセス・ネットワーク・ノードａＧＷにおいて受信されると仮定される。次に、後続ＭＢＭＳデータ・パケットが、前記ＭＢＭＳデータ・パケットに仮想的に連結されるべきか、すなわち同じタイムスタンプＴ１（ｔｘ）で伝送されるべきかどうかを判断しなければならない。
【００７２】
ｎ番目の後続ＭＢＭＳデータ・パケットについては、ｎ−１個の先行ＭＢＭＳデータ・パケットの仮想完了時間を、Ｔｃｏｍｐｌ＝Ｔ１（ｒｘ）＋Ｓ＋Ｓｕｍ＊ｍとして計算することができる。連続するＭＢＭＳデータ・パケットがＴｃｏｍｐｌの前に到達した場合、それはＴ１（ｔｘ）間隔を使用して伝送され、すなわち仮想的に連結される。そうでない場合、そのパケットは新しいタイムスタンプＴ２（ｔｘ）を有するＭＢＭＳデータ・パケットに入れられる。これにより、基地局ｅＮＢからの遅延データ伝送を回避することができる。
【００７３】
例えば、最初の後続ＭＢＭＳデータ・パケットでは、完了時間は、Ｔｃｏｍｐｌ（０）＝Ｔ１（ｒｘ）＋Ｓ＋１０１＊ｍとして計算される。２番目の後続ＭＢＭＳデータ・パケットでは、完了時間は、Ｔｃｏｍｐｌ（１）＝Ｔ１（ｒｘ）＋Ｓ＋１４１＊ｍとして計算される。
【００７４】
同様の計算が、図２または図３で示される３番目の後続ＭＢＭＳデータ・パケットについて行われ、完了時間は、Ｔｃｏｍｐｌ（２）＝Ｔ１（ｒｘ）＋Ｓ＋４５４＊ｍとして計算される。
【００７５】
それ以外は、図においてＴｃｏｍｐｌ（２）＜Ｔ２（ｒｘ）（Ｔ２（ｒｘ）は４番目のＭＢＭＳデータ・パケットの到達時間を表す）と仮定される。したがって、新しい時間間隔またはサイクルが開始される。
【図１】
0005431943.tif 000002
【図２】
0005431943.tif 000003
【図３】
0005431943.tif 000004